(57)【特許請求の範囲】
【請求項１】
ネットワーク接続され、コンテンツデータを送信又は受信する複数の外部機器の制御装置において、
前記複数の外部機器毎に、前記外部機器に関する画像を表示部に表示する表示制御部と、
前記表示部に表示された画像の選択操作を受け付ける操作部と、
前記表示部に表示させる画像を指定する指定部と、
前記操作部から複数の画像が選択された場合、前記複数の画像に対応する外部機器の一つを親機に設定し、他を子機に設定し、当該親機と当該子機をグループ化する設定部と、
を備え、
前記表示制御部は、
前記操作部から選択された画像を、前記指定部が指定した画像に変更し、かつ前記グループ化した前記外部機器に対応する複数の画像を１つの画像に集約して、前記子機に設定された前記外部機器に対応する画像は非表示にし、
前記設定部は、
前記親機に設定された前記外部機器に、自装置が再生するコンテンツデータを前記子機に設定された前記外部機器に送信させ、前記グループ化した各外部機器で同期して当該コンテンツデータを再生させる、
制御装置。
【請求項２】
前記表示制御部は、
複数の画像を種類毎に分類して表示する画像選択画面を前記表示部に表示し、
前記指定部は、
前記画像選択画面から画像を指定する、
請求項１に記載の制御装置。
【請求項３】
前記表示制御部は、
前記指定部が指定した画像をぼかしつつ、前記画像の一部の色を強調して表示する、
請求項１又は２に記載の制御装置。
【請求項４】
前記操作部から選択された画像に対応する外部機器に関する情報を外部から取得する取得部、
を備え、
前記指定部は、
前記取得部が取得した情報に基づいて画像を指定する、
請求項１から３のいずれかに記載の制御装置。
【発明の詳細な説明】
【技術分野】
【０００１】
本発明は、ネットワーク接続され、コンテンツデータを送信又は受信する複数の外部機器の制御装置に関する。
【背景技術】
【０００２】
特許文献１には、サーバ装置からネットワークにストリーミング配信されるオーディオデータを複数のクライアント装置で同期して再生することができるようにしたオーディオ配信システムが開示されている。このシステムでは、例えば、各クライアント装置を、宅内の各部屋に設置することで、ユーザは、どの部屋でも、同じオーディオデータを聴くことができる。
【先行技術文献】
【特許文献】
【０００３】
【特許文献１】特開2005-148565号公報
【発明の概要】
【発明が解決しようとする課題】
【０００４】
特許文献１に記載のシステムにおいて、各クライアント装置は離れて設定されている。このため、各クライアント装置を、例えば、ユーザが所有する携帯端末で一元管理するようにすれば、ユーザは、各クライアント装置を手元の携帯端末で操作することができ、各クライアント装置の設置場所まで移動する必要がない。しかしながら、携帯端末で一元管理する場合、クライアント装置の台数が多くなると、携帯端末に多くのクライアント装置の情報が表示されるため、ユーザは、表示された情報が、どのクライアント装置に関するものなのかが把握できなくなるおそれがある。この場合、ユーザは、クライアント装置の情報に容易にアクセスできず、各クライアント装置の管理、操作が煩わしくなるおそれがある。
【０００５】
そこで、上記問題点を鑑み、本発明の目的は、制御する複数の外部機器を視覚的に把握しやすくする制御装置を提供することにある。
【課題を解決するための手段】
【０００６】
本発明は、ネットワーク接続され、コンテンツデータを送信又は受信する複数の外部機器の制御装置において、前記複数の外部機器毎に、前記外部機器に関する画像を表示部に表示する表示制御部と、前記表示部に表示された画像の選択操作を受け付ける操作部と、前記表示部に表示させる画像を指定する指定部と、を備え、前記表示制御部は、前記操作部から選択された画像を、前記指定部が指定した画像に変更することを特徴とする。
【０００７】
この構成では、ユーザは、表示部に表示する外部機器に関する画像を、変更することができる。これにより、制御する外部機器が複数あっても、ユーザは、外部機器の種類、設置場所、所有者等を視覚的に把握しやすくなる。
【発明の効果】
【０００８】
本発明によれば、複数の外部機器がネットワークに接続されても、ユーザは、制御装置から制御する各外部機器を視覚的に把握することができる。
【図面の簡単な説明】
【０００９】
【図１】実施形態１に係る音声再生システムの構成を示す図
【図２】ディスプレイに表示されるコントローラ画面を示す図
【図３】コントローラ画面のカスタマイズ方法を説明する図
【図４】コントローラ画面のカスタマイズ方法を説明する図
【図５】変更後に表示する画像に施す画像処理の一例を示す図
【図６】グループ化した機器から親機を設定する方法を説明する図
【図７】複数のボタン画像を集約したコントローラ画面を示す図
【図８】通信端末の構成を示すブロック図
【図９】通信端末で実行される処理を示すフローチャート
【図１０】実施形態２に係るディスプレイに表示されるコントローラ画面を示す図
【図１１】ボタン画像を縮小表示させたコントローラ画面一例を示す図
【発明を実施するための形態】
【００１０】
（実施形態１）
図１は、実施形態１に係る音声再生システム１０の構成を示す図である。
【００１１】
音声再生システム１０は、ネットワーク１００に接続された、ＡＶレシーバ１１、コンポ１２、スピーカ１３、プレーヤ１４、及びサーバ１５等を備えている。ネットワーク１００は、例えば、建物内に配線されたＬＡＮ（Local Area Network）である。ネットワーク１００に接続されるＡＶレシーバ１１等の各機器は、建物内の居間又は寝室等、複数の部屋に配置される。
【００１２】
ＡＶレシーバ１１には、有線又は無線により、記録媒体１１１、テレビ１１２及びネットワークスピーカ１１３等が接続している。記録媒体１１１は、例えば、フラッシュメモリ、ハードディスクドライブ等である。ＡＶレシーバ１１は、例えば、記録媒体１１１に記憶される音楽データ又は映像データをテレビ１１２及びネットワークスピーカ１１３へ送信し、テレビ１１２及びネットワークスピーカ１１３は、そのデータを再生する。サーバ１５は、例えば、ＮＡＳ（Network Attached Storage）などのネットワークストレージである。
【００１３】
ＡＶレシーバ１１、コンポ１２、スピーカ１３及びプレーヤ１４は、音楽データを再生する。再生する音楽データは、各機器のメモリに記憶されたデータであってもよいし、各機器に接続される記録媒体、例えばＣＤ又はＨＤＤから読み取られたデータでもよい。また、本実施形態では、各機器は音楽データを送受信可能であって、他の機器から音楽データを取得することができる。例えば、ＡＶレシーバ１１は、サーバ１５に記憶された音楽データを取得し、その音楽データをテレビ１１２又はネットワークスピーカ１１３から再生することができる。
【００１４】
ネットワーク１００に接続されるＡＶレシーバ１１、コンポ１２、スピーカ１３、プレーヤ１４及びサーバ１５は、本発明に係る「外部機器」に相当する。また、音楽データは、本発明に係る「コンテンツデータ」に相当する。本発明に係る「コンテンツデータ」は、映像データであってもよい。
【００１５】
ネットワーク１００には、無線又は有線により通信端末２０が接続される。通信端末２０は、ユーザからの操作を受け付けて、ネットワーク１００を介してユーザの操作を各機器へ送信し、各機器を制御する。通信端末２０は、本発明に係る「制御装置」に相当する。
【００１６】
通信端末２０はディスプレイ２１を有していて、そのディスプレイ２１には、ＡＶレシーバ１１、コンポ１２、スピーカ１３及びプレーヤ１４を操作する操作画面が表示される。ユーザは、その操作画面から、例えば、機器の電源オンオフ操作、音量調節操作、曲の選択、演奏、スキップ操作等を行える。この通信端末２０は、スマートフォン、タブレット、ノート型パソコン等、ディスプレイ２１を有するデバイスであればよい。
【００１７】
以下に、通信端末２０のディスプレイ２１に表示される画面について説明する。通信端末２０のディスプレイ２１には、コントローラ画面が表示され、ユーザは、そのコントローラ画面に従って操作することで、ＡＶレシーバ１１、コンポ１２、スピーカ１３及びプレーヤ１４を操作することができる。本実施形態では、通信端末２０のディスプレイ２１はタッチパネル式ディスプレイである。したがって、ユーザは、ディスプレイ２１に表示される操作用画像を押圧（タッチ）することで、その操作用画像に応じた操作を通信端末２０に入力することができる。
【００１８】
図２は、ディスプレイ２１に表示されるコントローラ画面２２を示す図である。
【００１９】
ディスプレイ２１に表示されるコントローラ画面２２には、通信端末２０から操作可能な機器それぞれに対応するボタン画像２２１，２２２，２２３，２２４が表示される。ボタン画像２２１は、ＡＶレシーバ１１に対応付けられ、ユーザによりタッチされると、ＡＶレシーバ１１用の操作画面（不図示）がディスプレイ２１に表示される。同様に、ボタン画像２２２，２２３，２２４それぞれは、コンポ１２、スピーカ１３及びプレーヤ１４に対応付けられている。
【００２０】
これらボタン画像２２１〜２２４には、それぞれの画像がどの機器に対応しているかをユーザが直感的に把握しやすいように、機器に関する画像（以下、機器画像と言う）が表示される。本実施形態では、ボタン画像２２１〜２２４に表示する機器画像をユーザが指定することができる。なお、図２では、ボタン画像２２１〜２２４に機器画像を表示したコントローラ画面２２一例を示している。
【００２１】
仮に、ボタン画像２２１〜２２４それぞれに、アプリ側で自動的に決められた画像が表示された場合、ユーザがＡＶレシーバ１１を操作したいとき、ボタン画像２２１〜２２４の何れを選択すればよいかが分からなくなることがある。そこで、ユーザ自身が表示する画像を指定することで、ユーザは、どのボタン画像を選択すれば、どの機器を操作できるかを把握することができる。
【００２２】
ここで、「機器画像」には、機器の外観の写真又はイラスト、機器の設置場所の写真又はイラスト、機器の所有者の写真又はイラスト、ユーザの好みの色（単色又は多色）等を含む。ボタン画像２２１〜２２４に機器の外観を表示することで、ユーザは、ボタン画像２２１〜２２４がどの機器に対応しているかを把握し易くなる。ボタン画像２２１〜２２４に機器の設置場所を表示することで、例えばユーザが寝室にある機器を操作したい場合に、ユーザは、どのボタン画像２２１〜２２４を選択すればよいかが分かり易くなる。ボタン画像２２１〜２２４に機器の所有者を表示することで、ユーザは、どのボタン画像２２１〜２２４を選択すれば、自分の機器を操作できるかが分かる。ボタン画像２２１〜２２４に、ユーザの好みの色を表示することで、ユーザは、コントローラ画面２２を好みのデザインにすることができる。また、ボタン画像２２１〜２２４の背景を色にすることで、ボタン画像２２１〜２２４にテキスト等を表示する場合、そのテキストが視認しやすくなる。
【００２３】
以下に、コントローラ画面２２のカスタマイズ方法について説明する。
【００２４】
図３及び図４は、コントローラ画面のカスタマイズ方法を説明する図である。図３及び図４では、既にボタン画像２２１〜２２４に機器画像が表示された状態から、機器画像を変更する場合について説明するが、ボタン画像２２１〜２２４に機器画像が表示されていない状態から、表示する機器画像を登録する場合も同様である。また、図３及び図４では、ボタン画像２２１の機器画像を変更する場合について説明する。
【００２５】
ユーザは、機器画像を変更するボタン画像２２１を長く押し続ける（図３（Ａ））。これにより、コントローラ画面２２内には、画像選択画面２３が表示される（図３（Ｂ））。このとき、選択したボタン画像２２１以外のボタン画像２２２〜２２４を非表示し、又はボタン画像２２２〜２２４の表示濃度を薄くしてもよい。これにより、ユーザは、どのボタン画像の機器画像を変更しようとしているかを把握し易くなる。
【００２６】
画像選択画面２３は、ボタン画像２２１に表示する機器画像を選択するためのメニュー画面である。画像選択画面２３は、カテゴリ毎に分類して画像を表示している。詳しくは、画像選択画面２３は、４つのカテゴリに分類された、「User」画像、「Situation」画像、「Device」画像、「Color」画像を表示している。
【００２７】
「User」画像は、ユーザが用意した画像である。例えば、カメラで対象機器の所有者の肖像を撮像した画像であってもよいし、外部から取り込み、保存した画像であってもよい。また、「User」画像が選択されることで、カメラを起動させるようにしてもよい。「Situation」画像は、各機器が設置される部屋又は場所を思い浮かばせる画像（写真又はイラスト）である。「Device」画像は、様々な機器の外観を表現した写真又はイラストである。「Color」画像は、色（単色又は多色）のみの画像である。「Color」画像の色は、ユーザが作ってもよい。「Situation」画像、「Device」画像、及び「Color」画像は、予め通信端末２０に保存されている。
【００２８】
ユーザが、例えば、「Situation」画像を選択した場合、図４（Ａ）に示すように、画像選択画面２３には、「Situation」画像に分類された複数の画像が表示される。図４（Ａ）では、「Situation」画像の一例として、寝室画像２３Ａ、食堂画像２３Ｂ、居間画像２３Ｃ、台所画像２３Ｄを表示している。ユーザが寝室画像２３Ａを選択した場合、図４（Ｂ）に示すように、ボタン画像２２１には、ユーザにより選択された寝室画像２３Ａが表示される。これにより、ユーザは、寝室にある機器を操作したい場合には、ボタン画像２２１を選択すればよいことを視覚的に把握できるようになる。このように、コントローラ画面２２をカスタマイズすることができる。
【００２９】
図３及び図４で説明したカスタマイズ方法は一例であり、操作方法は適宜変更可能である。例えば、各ボタン画像２２１〜２２４には機器画像に、設定ボタン等を重ねて表示するようにしてもよい。そして、その設定ボタン部分がタッチされることで、画像選択画面２３が表示されるようにしてもよい。また、画像選択画面２３は、カテゴリ毎に写真を分類せず、変更後の画像に選択できる画像を一覧表示してもよい。
【００３０】
なお、図３及び図４では、選択した画像をそのままボタン画像２２１〜２２４に表示しているが、選択した画像を画像処理（ぼかし処理、ブラー加工処理、モザイク加工処理等）して、各ボタン画像２２１〜２２４に表示するようにしてもよい。
【００３１】
図５は、変更後に表示する画像に施す画像処理の一例を示す図である。例えば、画像中に、周囲よりも色彩の強いもの（例えば、赤色のカーテンＡ１、深緑の植物Ａ２等）が含まれている場合、全体をぼかしつつ、色彩の強い部分の濃度レベルを高くするように処理する。これにより、画像全体をぼかしつつも、色特徴のある画像を、各ボタン画像２２１〜２２４に表示することができる。画像処理した画像を各ボタン画像２２１〜２２４に表示することで、コントローラ画面２２のカスタマイズ性をより高めることができる。
【００３２】
ユーザは、このコントローラ画面２２から、複数の機器をグループ化して管理することができる。詳しくは、ユーザは、ＡＶレシーバ１１、コンポ１２、スピーカ１３及びプレーヤ１４のなかから、何れかをグループ化し、グループ化した機器から親機と子機とを設定することができる。複数の機器をグループ化した場合、親機に設定された機器は、自身が再生する音楽データを他の機器へ送信し、各機器と同期して同じ音楽データを再生する。
【００３３】
図６は、グループ化した機器から親機を設定する方法を説明する図である。
【００３４】
機器のグループ化は、例えば、図示しないメニュー画面から機器を複数選択することで、実行される。そして、コントローラ画面２２には親機設定画面２４が表示される。親機設定画面２４には、選択された機器が表示される。ユーザは、親機設定画面２４から、親機に設定する機器を選択する。グループ化され、親機に選択されなかった機器は、子機に設定される。
【００３５】
複数の機器がグループ化された場合、グループ化された機器に対応する複数のボタン画像は、一つのボタン画像に集約される。
【００３６】
図７は、複数のボタン画像を集約したコントローラ画面２２を示す図である。図７では、ＡＶレシーバ１１、コンポ１２及びスピーカ１３がグループ化され、ＡＶレシーバ１１が親機に設定された場合について説明する。
【００３７】
図７（Ａ）に示すコントローラ画面２２では、親機に設定されたＡＶレシーバ１１に対応するボタン画像２２１の機器画像をぼかして表示し、子機に設定されたコンポ１２及びスピーカ１３に対応するボタン画像２２２，２２３を非表示にしている。
【００３８】
図７（Ｂ）に示すコントローラ画面２２では、親機及び子機に設定された機器それぞれに対応するボタン画像２２１〜２２３を合成して表示し、子機に設定されたコンポ１２及びスピーカ１３に対応するボタン画像２２２，２２３を非表示にしている。この場合、親機に設定された機器と、子機に設定された機器が把握しやすくなる。
【００３９】
図７（Ａ）及び図７（Ｂ）の何れの場合であっても、ユーザは、複数の機器がグループ化されたことを把握できる。
【００４０】
以下に、前記のような表示制御を行う通信端末２０の構成及び動作について説明する。
【００４１】
図８は、通信端末２０の構成を示すブロック図である。
【００４２】
通信端末２０は、制御部３１、表示部３２、操作部３３、通信部３４、記憶部３５及び撮像部３６を備えている。
【００４３】
表示部３２及び操作部３３は、前記したタッチパネル式のディスプレイ２１である。操作部３３は、ユーザによる画像の選択操作等を受け付ける。この操作部３３は、物理ボタン、入力用パッド又はマウスなどであってもよい。通信部３４は、ネットワーク１００への接続を可能にする。記憶部３５は、前記した「Situation」画像、「Device」画像及び「Color」画像を記憶する。撮像部３６は、「User」画像を生成するためのカメラである。
【００４４】
制御部３１は、ＣＰＵ、ＲＡＭ及びＲＯＭ等からなるマイコンであり、以下に説明する各機能を備える。
【００４５】
表示制御部３１１は、表示部３２の表示制御を行い、コントローラ画面２２等を表示する。
【００４６】
変更対象選択部３１２は、コントローラ画面２２に表示されたボタン画像２２１〜２２４のなかから、操作部３３から選択されたボタン画像を特定する。変更対象選択部３１２が選択されたボタン画像を特定すると、表示制御部３１１は、図３（Ｂ）で説明した画像選択画面２３を表示する。
【００４７】
画像指定部３１３は、画像選択画面２３に表示された複数のカテゴリ画像から、操作部３３によって選択されたカテゴリ画像を特定する。カテゴリ画像とは、前記した「User」画像、「Situation」画像、「Device」画像、「Color」画像である。画像指定部３１３がカテゴリ画像を特定すると、表示制御部３１１は、画像選択画面２３を、図４（Ａ）で説明した表示に変更する。画像指定部３１３は、本発明に係る「指定部」に相当する。
【００４８】
なお、画像指定部３１３は、ユーザによる操作に基づいて、カテゴリ画像を指定（特定）しているが、自動でカテゴリ画像を指定してもよい。例えば、画像指定部３１３は、変更対象選択部３１２で選択されたボタン画像に対応する機器情報をサーバ１５から取得する。機器情報とは、例えば、機器の設置場所、機器の所有者等の情報である。画像指定部３１３は、その情報に基づいて、最適な「User」画像、「Situation」画像等を指定するようにしてもよい。この場合、画像指定部３１３は、本発明に係る「取得部」に相当する。
【００４９】
親機子機設定部３１４は、表示制御部３１１が表示した親機設定画面２４から、操作部３３によって選択された機器を特定し、それを親機に設定する。また、親機に設定されていない機器を子機に設定する。親機子機設定部３１４が各機器を親機と子機とに設定すると、表示制御部３１１は、親機に対応するボタン画像に対し画像処理を施し、子機に対応するボタン画像を非表示にする。親機子機設定部３１４は、本発明に係る「設定部」に相当する。
【００５０】
操作信号送信部３１５は、ディスプレイ２１に表示される各機器の操作画面を介して入力された操作を、通信部３４を介して、各機器へ送信する。
【００５１】
図９は、通信端末２０で実行される処理を示すフローチャートである。図９に示す処理は、制御部３１により実行される。
【００５２】
制御部３１は、各機器を操作するためのプログラムが起動されると、ディスプレイ２１にコントローラ画面２２を表示する（Ｓ１）。コントローラ画面２２を最初に表示する場合、各ボタン画像２２１〜２２４には、予め決められた機器画像を表示してもよいし、何も表示しなくてもよい。次に、制御部３１は、コントローラ画面２２中の各ボタン画像２２１〜２２４から、機器画像を変更する変更対象が選択されたか否かを判定する（Ｓ２）。
【００５３】
変更対象が選択されていない場合（Ｓ２：ＮＯ）、制御部３１は、後述のＳ６の処理に移行する。変更対象が選択された場合（Ｓ２：ＹＥＳ）、制御部３１は、ディスプレイ２１に画像選択画面２３を表示する（Ｓ３）。制御部３１は、画像選択画面２３から変更後の画像が指定されたか否かを判定する（Ｓ４）。変更後の画像が指定されていない場合（Ｓ４：ＮＯ）、制御部３１は、Ｓ４を繰り返し実行する。変更後の画像が指定された場合（Ｓ４：ＹＥＳ）、制御部３１は、Ｓ２で選択されたボタン画像の機器画像の表示を、Ｓ４で指定された画像に変更する（Ｓ５）。
【００５４】
制御部３１は、複数の機器をグループ化するか否かを判定する（Ｓ６）。なお、制御部３１は、ユーザからの操作の有無によって、グループ化するか否かを判定する。グループ化しない場合（Ｓ６：ＮＯ）、制御部３１は、Ｓ１１の処理に移行する。
【００５５】
グループ化する場合（Ｓ６：ＹＥＳ）、制御部３１は、ディスプレイ２１に親機設定画面２４を表示する（Ｓ７）。制御部３１は、親機設定画面２４から親機にする機器が選択されたか否かを判定する（Ｓ８）。親機にする機器が選択されていない場合（Ｓ８：ＮＯ）、制御部３１は、Ｓ８を繰り返し実行する。親機にする機器が選択された場合（Ｓ８：ＹＥＳ）、制御部３１は、Ｓ８で選択された機器を親機に設定し、グループ化した他の機器を子機に設定する（Ｓ９）。
【００５６】
制御部３１は、コントローラ画面２２において、グループ化した複数の機器に対応する複数のボタン画像を、一つのボタン画像に集約して表示する（Ｓ１０）。このとき、図７（Ａ）で説明したように、制御部３１は、親機に設定された機器に対応するボタン画像の機器画像をぼかして表示し、子機に設定された機器に対応するボタン画像を非表示にしてもよい。また、図７（Ｂ）で説明したように、制御部３１は、親機及び子機に設定された機器それぞれに対応するボタン画像を合成して表示し、子機に設定された機器に対応するボタン画像を非表示にしてもよい。
【００５７】
制御部３１は、コントローラ画面２２から、各機器の操作が入力されると、その操作を、ネットワーク１００を介して各機器へ送信する（Ｓ１１）。これにより、ユーザは、ＡＶレシーバ１１等の各機器を、通信端末２０により操作できる。そして、制御部３１は、本プログラムを終了するか否かを判定し（Ｓ１２）、終了する場合は（Ｓ１２：ＹＥＳ）、本処理を終了する。終了しない場合（Ｓ１２：ＮＯ）、制御部３１は、Ｓ２の処理を実行する。
【００５８】
以上のように、本実施形態では、各機器を操作するためのコントローラ画面２２のボタン画像２２１〜２２４の表示を変更することができる。これにより、ネットワーク１００に接続され、通信端末２０から制御できる機器数が増加しても、ユーザは、各機器の種類、設置場所、所有者等を視覚的に把握しやすくなり、機器の管理、制御が容易となる。
【００５９】
（実施形態２）
本実施形態に係るコントローラ画面では、画面のレイアウトと、ボタン画像のサイズを変更することができる。
【００６０】
図１０は、実施形態２に係るディスプレイに表示されるコントローラ画面２２を示す図である。図１０に示すコントローラ画面２２の場合、一つの画面内に表示しきれない複数のボタン画像２２１，２２２，２２３，，，が表示されている。この場合、ユーザは、コントローラ画面２２に表示されていないボタン画像を操作したい場合、コントローラ画面２２の表示範囲を変更させる操作を行う必要があり、操作が煩雑となる。
【００６１】
そこで、本実施形態では、ユーザが２本の指で画面上をつまむように動かし、画面を縮小させる操作（以下、縮小操作と言う）を行うことで、ボタン画像２２１，２２２，２２３，，，を縮小表示されるようにしている。
【００６２】
図１１は、ボタン画像２２１，２２２，２２３，，，を縮小表示させたコントローラ画面２２の一例を示す図である。縮小操作した場合、ボタン画像２２１〜２２７の縦サイズが狭くなって表示される。この場合、図１０では、表示されていなかったボタン画像２２４，２２５，２２６，２２７も表示されるようになる。複数のボタン画像２２１〜２２７の縦幅を短くして表示することで、各ボタン画像２２１〜２２７を１行の文字列のように扱うことができるようになる。
【００６３】
なお、この例では、縦幅のみを狭くして各ボタン画像２２１〜２２７を表示させているが、縦横比を保ちつつ、全体を縮小させて各ボタン画像２２１〜２２７を表示させてもよい。また、図１１では、各ボタン画像２２１〜２２７を一列に表示させているが、縮小表示させたボタン画像２２１〜２２７をマトリクス状に配置してもよい。さらに、図１１に示す各ボタン画像２２１〜２２７を縮小表示したコントローラ画面２２において、ユーザが２本の指で画面上をつまむように動かし、画面を拡大させる操作を行った場合、図１０に示すコントローラ画面２２に戻すようにしてもよい。また、各ボタン画像２２１〜２２７に表示される機器画像は、実施形態１と同様に変更することができる。
【符号の説明】
【００６４】
１０…音声再生システム
１１…ＡＶレシーバ
１２…コンポ
１３…スピーカ
１４…プレーヤ
１５…サーバ
２０…通信端末
２１…ディスプレイ
２２…コントローラ画面
２３…画像選択画面
２３Ａ…寝室画像
２３Ｂ…食堂画像
２３Ｃ…居間画像
２３Ｄ…台所画像
２４…親機設定画面
３１…制御部
３２…表示部
３３…操作部
３４…通信部
３５…記憶部
３６…撮像部
１００…ネットワーク
１１１…記録媒体
１１２…テレビ
１１３…ネットワークスピーカ
２２１，２２２，２２３，２２４，２２５，２２６，２２７…ボタン画像
３１１…表示制御部
３１２…変更対象選択部
３１３…画像指定部
３１４…親機子機設定部
３１５…操作信号送信部
【図１】
0006693066.tif 000002
【図２】
0006693066.tif 000003
【図３】
0006693066.tif 000004
【図４】
0006693066.tif 000005
【図５】
0006693066.tif 000006
【図６】
0006693066.tif 000007
【図７】
0006693066.tif 000008
【図８】
0006693066.tif 000009
【図９】
0006693066.tif 000010
【図１０】
0006693066.tif 000011
【図１１】
0006693066.tif 000012